(57)【要約】      （修正有）【課題】熟練者でなくとも一定の仕上り品質が得られる刃物研磨装置を提供する。【解決手段】刃物の刃先を研磨する研磨盤と、研磨盤を回転させる駆動装置と、刃物５の刃先を研磨盤に当接させる当接機構からなる研磨装置１において、研磨盤は中心部から外周方向に緩やかな曲面を有する砥石６であり、当接機構は、研磨盤を載置する台座３に立設され、上下移動可能なポールと、このポールの先端部に設けられ、研磨を必要とする刃物を任意の角度に保持すると共にポール回りに回動自在な刃物ガイドと、刃物ガイドに一体に取り付けられた可動ハンドルからなり、刃物ガイドに刃物を取り付けて、可動ハンドルによって刃物の刃先を研磨盤表面に傾動して当接させ、ポールの軸回りに左右に回動させながら研磨し、刃物５の刃先に鋸歯状のある直線刃を形成する。【選択図】図１
0003139372.tif 000002
【実用新案登録請求の範囲】
【請求項１】
刃物の刃先を研磨する研磨盤と、該研磨盤を回転させる駆動装置と、前記刃物の刃先を研磨盤に当接させる当接機構からなる研磨装置において、前記研磨盤は中心部から外周方向に緩やかな曲面を有する砥石であり、前記当接機構は、前記研磨盤を載置する台座に立設され上下移動可能なポールと、このポールの先端部に設けられ、研磨を必要とする刃物を任意の角度に保持すると共に前記ポール回りに回動する刃物ガイドと、刃物ガイドに一体に取り付けられた可動ハンドルからなり、前記刃物ガイドに刃物を取り付けて、可動ハンドルによって刃物の刃先を前記研磨盤表面に傾動して当接させ、前記ポールの軸回りに左右に回動させながら研磨し、刃物の刃先に鋸歯状のある直線刃を形成することを特徴とする研磨装置。
【考案の詳細な説明】
【技術分野】
【０００１】
本考案は、鉋やノミ等の研磨装置に関するものである。
【背景技術】
【０００２】
従来より、鉋やノミなどの刃先の研磨には熟練者による手作業が中心であった。その際に回転する研磨盤に刃先を押し当て、一定の角度と圧をかけながら作業を行なうものであった。そのため不慣れな作業者がこの作業を行なうと、刃先の仕上がりが不安定になるばかりか、怪我をする虞もあった。そこで、どんな不慣れな作業者であっても簡単に刃物の刃先の研磨ができる研磨装置が各種提案されている。
【０００３】
例えば、湿式円筒状砥石を回転させるための回転機構及び該砥石を湿らすための水の入った水槽で構成される研磨部と、刃物を取り付けるための往復駆動部と、刃物を砥石に押し付けるための上下可動部と、刃物を砥石に押し付ける力を調整する押圧調整機構とを備えた刃物研磨装置が提案されている（特許文献１参照。）。
【０００４】
また、キャスタを取付けた架台と、基端側が前記架台に上下動自在に固定された刃物支持プレートと、この先端側に形成された傾斜板と、この傾斜板の裏面に、上下動自在に取付けられた刃物締付けプレートとから構成された刃物取付け台と、ブロック状の砥石とからなる刃物研磨装置もあった（特許文献２参照。）。
【０００５】
【特許文献１】特開平１１−８５３号公報
【特許文献２】実用新案登録第３１０６６８９号公報
【考案の開示】
【考案が解決しようとする課題】
【０００６】
しかしながら、上記特許文献１の刃物研磨装置は円筒状の砥石を円周方向に回転させて、その側面と刃物とを当接させて研磨するものであり、刃物の刃渡り方向に一定の速度で移動させながら研磨する必要があり、砥石との接触状態との微妙な変化に追随させる複雑な機構を必要とするため極めて複雑な構造となるものであった。
【０００７】
また、上記特許文献２に記載された技術は、鉋等を一定の角度で保持して砥石面と水平になるように設定したまま、キャスタの移動によって研磨を可能とするものであるが、砥石面の磨り減り等による平行度の変化に対しては何ら対応できないものであった。
【０００８】
そこで本考案は、上記従来の問題点に鑑みなされたもので、鉋等の直線刃を有する刃物の刃先を簡単な構造でしかもどんな不慣れな作業者あっても安全にしかも確実に研磨作業ができる研磨装置を提供するものである。
【課題を解決するための手段】
【０００９】
このため本考案の研磨装置は、刃物の刃先を研磨する研磨盤と、該研磨盤を回転させる駆動装置と、前記刃物の刃先を研磨盤に当接させる当接機構からなる研磨装置において、前記研磨盤は中心部から外周方向に緩やかな曲面を有する砥石であり、前記当接機構は、前記研磨盤を載置する台座に立設され、上下移動可能なポールと、このポールの先端部に設けられ、研磨を必要とする刃物を任意の角度に保持すると共に前記ポール回りに回動自在な刃物ガイドと、刃物ガイドに一体に取り付けられた可動ハンドルから構成されたことを特徴とする。
【００１０】
前記刃物ガイドに刃物を取り付けて、可動ハンドルによって刃物の刃先を前記研磨盤表面に傾動して当接させ、前記ポールの軸回りに左右に回動させながら研磨し、刃物の刃先に鋸歯状のある直線刃を形成することができる。
【考案の効果】
【００１１】
本考案に係る研磨装置によれば、上下移動可能なポールと、このポールの先端部に設けられ、研磨を必要とする刃物を任意の角度に保持すると共に前記ポール回りに回動自在な刃物ガイドと、刃物ガイドに一体に取り付けられた可動ハンドルから構成される刃物当接機構を有しており、研磨を必要とする刃物を刃物ガイドに取付けて可動ハンドルを操作して研磨盤に当接させることで、どんな不慣れな作業者あっても安全に研磨作業ができる。
【００１２】
しかも、中心部から外周方向に緩やかな曲面を有する砥石を回転駆動させて、可動ハンドルによって刃物の刃先を左右に回動させながら当接させることによって、刃先に理想的な鋸歯状のある直線刃を形成することができるという優れた効果を有する。
【考案を実施するための最良の形態】
【００１３】
以下、本考案を実施するための最良の形態を図面に示す実施例に基づいて説明するが、本考案が本実施例に限定されないことは言うまでもない。図１は本考案の研磨装置の斜視図、図２は本考案の研磨装置の側面説明図、図３は図２の平面説明図である。
【実施例】
【００１４】
図１に示すように、本考案に係る研磨装置１は、回転研磨機２と、この回転研磨機２を載置する台座３と、台座３に立設された刃物保持具４とから構成されており、鉋等の直線刃を有する刃物５を刃物保持具４に保持させて、回転研磨機２の砥石６表面に押し当て、刃物５を刃物保持具４の軸回りに左右に回動させながら研磨を行なうものである。
【００１５】
図２は図１の側面説明図を示し、図３は図１の平面説明図である。図に示すように回転研磨機２は台座３に載置されてモーター（図示せず）の回動によって砥石６を正逆回転自在とし、台座３の回転研磨機２の近傍には刃物保持具４が立設されている。尚、砥石６は側面視で中央部から周辺に緩やかな曲線を形成している。
【００１６】
刃物保持具４は、台座３にネジ等で取付けられた支柱７と、支柱７を貫通するポール８と、ポール８に挿入されポール８回りに回動自在なガイド支持部９と、ガイド支持部９の先端部に設けられ回転軸１０を介してポール８方向に傾動可能な刃物ガイド１１と、刃物ガイド１１に一体に取付けられた可動ハンドル１２から構成されており、ポール８の上下移動は支柱側面に設けられた固定ネジ１３によって制御され、ガイド支持部９とポール８とはポールストップネジ１４によって係合されると共に、回転固定ネジ１５によってガイド支持部９はポール８回りの回動を制御される。
【００１７】
刃物ガイド１１は、矩形の金属板からなり、研磨を必要とする刃物５を左右からガイドする一対のガイドレール１６を上面に有し、刃物５を上方から圧着する上部固定具１７と、刃物５の後端側に設けられた刃背ストッパー１８とから構成され、刃物５を取付ける際に、ガイドレール１６によって刃物５の左右をガイドし、上面は上部固定具１７によって圧着されて固定ネジ１９によって固定され、さらに刃物５の後端は刃背ストッパー１８とスライドレール２０によって保持され、固定ネジ２１によって刃物の刃先方向で固定位置が調節可能とされている。また、刃物ガイド１１の下部にはガイド支持部９と回転軸１０を介して連結する連結部材２２が設けられている。
【００１８】
上記の構成からなる本考案の研磨装置１は、鉋等の直線刃を有する刃物５を刃物ガイド１１に取付けて、回転研磨機２の砥石６の表面に刃物５の刃先を押し当て、砥石６の回転に合わせて可動ハンドル１２を上下に傾動し、また左右に回動させながら研磨することができるため、例えば砥石６が中央から外周方向に緩やかな曲面を有する砥石であっても、刃先に理想的な鋸歯状のある直線刃を形成することができる。
【００１９】
以上、本考案による研磨装置の刃物当接機構によれば、上下移動可能なポールと、このポールの先端部に設けられ、研磨を必要とする刃物を任意の角度に保持すると共に前記ポール回りに回動自在な刃物ガイドと、刃物ガイドに一体に取り付けられた可動ハンドルから構成される刃物当接機構を有しており、研磨を必要とする刃物を刃物ガイドに取付けて可動ハンドルを操作して研磨盤に当接させることで、どんな不慣れな作業者あっても安全に研磨作業ができる。しかも、鉋等の直線刃の刃先に理想的な鋸歯状のある直線刃を形成することができる
【産業上の利用可能性】
【００２０】
本考案による研磨装置の刃物当接機構は、研磨を必要とする刃物類とくに鉋やノミなどの押し磨ぎを必要とする直線刃の研磨作業において利用可能である。
【図面の簡単な説明】
【００２１】
【図１】本考案の研磨装置の斜視図である。
【図２】本考案の研磨装置の側面説明図である。
【図３】本考案の研磨装置の平面説明図である。
【符号の説明】
【００２２】
１        研磨装置
２        回転研磨機
３        台座
４        刃物保持具
５        刃物
６        砥石
７        支柱
８        ポール
９        ガイド支持部
１０        回転軸
１１        刃物ガイド
１２        可動ハンドル
１３        固定ネジ
１４        ポールストップネジ
１５        回転固定ネジ
１６        ガイドレール
１７        上部固定具
１８        刃背ストッパー
１９、２１  固定ネジ
２０        スライドレール
２２        連結部材
【図１】
0003139372.tif 000003
【図２】
0003139372.tif 000004
【図３】
0003139372.tif 000005